(57)【要約】      （修正有）【課題】出力光色を調整でき、所望光色を達成できる可調節照明装置を提供する。【解決手段】カラーセンサ１４が、検出したデータを設定したデータと対比して、検出したデータが設定したデータと合わなければ、前記整流制御ループ１３が、白光発光ダイオード１２の赤色チップ１２１、青色チップ１２２および緑色チップ１２３が所望の電流をそれぞれ得るように電流を調整することによって、赤色チップ１２１、青色チップ１２２および緑色チップ１２３が適当な割合の光色をそれぞれ出力し、前記適切な３種類の割合の色を複合することで所望光色の出力を達成する。よって、カラーセンサ１４の検出対比で、これらの白光発光ダイオード１２が、異なる色の白光を発光でき、使用の要求を達する。【選択図】図２
0003130302.tif 000002
【実用新案登録請求の範囲】
【請求項１】
制御回路基板、複数の発光ダイオードおよびカラーセンサを少なくとも含み、
前記複数の発光ダイオードが前記制御回路基板に設けられ、
前記発光ダイオードが少なくとも一つの赤色チップ、一つの青色チップおよび一つの緑色チップからなり、
前記制御回路基板が前記カラーセンサに接続され、当該カラーセンサにより白光発光ダイオードを検出調整して所望の色に調節することを特徴とする、
可調節照明装置。
【請求項２】
前記制御回路基板に整流ループを設けたことを特徴とする、
請求項１に記載の可調節照明装置。
【考案の詳細な説明】
【技術分野】
【０００１】
本考案は、出力光色を調整可能な可調節照明装置に係わり、特に、照明の発光ダイオードまたは類似構造に適応できるものである。
【背景技術】
【０００２】
発光ダイオード（Light emitting device）は、その寿命が長く体積が小さく耐振性が高く電力消費量が低いなどの利点があるため、電気製品および様々なメーターのインジケーティングランプまたは光源に広く用いられている。近年、さらに、発光ダイオードがマルチカラーおよび高輝度化へ発展しつつのため、発光ダイオードの応用範囲が大型戸外表示看板照明および交通信号ランプなどまでに展開された。
【０００３】
発光ダイオードは、単色の有色光、例えば、赤色、緑色、青色などの場合が多いため、複合色光を発生しようとする時に、白光の場合を例とすれば、赤、緑、青の三色の発光チップを発光素子にパッケージし、電流を介して白色の光を複合する必要があるが、チップ毎の電気光学特性が異なるため、各複合した光線が輝度およびカラーのむらなどの問題を発生してしまうことは、その最も主な欠点である。
【０００４】
したがって、本考案は、出力光色を調整可能な可調節照明装置の提供を期し、専念な観察かつ研究をし、さらに学術理論の運用に合せ、合理的に設計且つ組み立てし消費者に提供することを目的とする。
【考案の開示】
【考案が解決しようとする課題】
【０００５】
そのため、本考案の主な目的は、出力光色を調整でき、所望光色を達成できる可調節照明装置を提供する。
【課題を解決するための手段】
【０００６】
前記目的を達成すため、本考案は、主に、制御回路基板、複数の発光ダイオードおよびカラーセンサ（Color sensor）を含み、前記複数の発光ダイオードが制御回路基板に設けられ、前記発光ダイオードが少なくとも一つの赤色チップ、青色チップおよび緑色チップからなり、且つ、前記制御回路基板が前記カラーセンサに接続され、よって、カラーセンサにより発光ダイオードを検出調整して所望の色に調節し安定な光色を維持できるようにする。
【０００７】
すなわち、本願の第１考案は、制御回路基板、複数の発光ダイオードおよびカラーセンサを少なくとも含み、前記複数の発光ダイオードが前記制御回路基板に設けられ、前記発光ダイオードが少なくとも一つの赤色チップ、一つの青色チップおよび一つの緑色チップからなり、前記制御回路基板が前記カラーセンサに接続され、当該カラーセンサにより白光発光ダイオードを検出調整して所望の色に調節することを特徴とする、可調節照明装置であることを要旨としている。
【０００８】
また、本願の第２考案は、前記制御回路基板に整流ループを設けたことを特徴とする、本願の第１考案に記載の可調節照明装置であることを要旨としている。
【考案の効果】
【０００９】
以上のように、本考案はカラーセンサでこれらの発光ダイオードが発する波長を同期に検出し、検出結果を元の設定と比べ、結果が合わなければ、整流ループを介して電流を調整し、所望光色を得ることができる。
【考案を実施するための最良の形態】
【００１０】
本考案の他の特点及び具体な実施例は、添付図面と合わせ、以下の本願の詳細な説明においてより一層認識及び理解できる。
【実施例】
【００１１】
図１を参照すると、本考案の照明装置１は、制御回路基板１１、複数の発光ダイオード１２およびカラーセンサ１４が設けられる。前記複数の発光ダイオード１２が制御回路基板１１に設けられ、前記発光ダイオード１２が少なくとも一つの赤色チップ１２１、青色チップ１２２および緑色チップ１２３からなる。同時に、図２に示すように、前記制御回路基板１１がカラーセンサ１４に接続され、また、前記制御回路基板１１はさらに整流制御ループ１３と連設することができる。
【００１２】
前記制御回路基板１１がオンした後に、整流制御ループ１３の整流によって所望の電流を各素子に供給し、発光ダイオード１２およびカラーセンサ１４が起動し始め、前記発光ダイオード１２が赤色チップ１２１、青色チップ１２２および緑色チップ１２３が発する３色の光で白光に複合し、前記複合した白光がカラーセンサ１４によって検出され、前記カラーセンサ１４が、検出したデータを設定したデータと対比して、検出したデータが設定したデータと合わなければ、前記整流制御ループ１３が、白光発光ダイオード１２の赤色チップ１２１、青色チップ１２２および緑色チップ１２３が所望の電流をそれぞれ得るように電流を調整することによって、赤色チップ１２１、青色チップ１２２および緑色チップ１２３が適当な割合の光色をそれぞれ出力し、前記適切な３種類の割合の色を複合することで所望光色の出力を達成する。よって、カラーセンサ１４の検出対比で、これらの白光発光ダイオード１２が、異なる色の白光を発光でき、使用の要求を達する。
【００１３】
また、前記カラーセンサ１４は、発光チップ（赤色チップ１２１、青色チップ１２２および緑色チップ１２３）の波長をも検出でき、各発光チップの発光波長および強度割合を適時に調整し、前記設定した複合光色を発光チップの波長変化に応じ変えないようにするため、前記発光ダイオード１２が長期間の使用で同一の光色を保持できる。
【００１４】
以上のように、本考案は、以下の利点がある。
１、カラーセンサでこれらの発光ダイオードが発する波長を同期に検出し、検出結果を元の設定と比べ、結果が合わなければ、整流ループを介して電流を調整し、所望光色を得られる。
【００１５】
なお、前記に開示された構成は、単に本考案の好ましい実施例に過ぎなく、本考案の特徴を限定するものではない。またいずれの前記分野における通常の知識を有する専門家が本考案の分野の中で、適当に変換や修飾などを実施できるが、それらの実施のことが本考案の主張範囲内に含まれるべきことは言うまでもないことである。
【図面の簡単な説明】
【００１６】
【図１】本考案による実施例の斜視外観図である。
【図２】本考案による実施例の回路を示すブロック図である。
【符号の説明】
【００１７】
１      照明装置
１１    制御回路基板
１２    複数の白光発光ダイオード
１４    カラーセンサ
１２１  赤色チップ
１２２  青色チップ
１２３  緑色チップ
１３    整流制御ループ
【図１】
0003130302.tif 000003
【図２】
0003130302.tif 000004